(57)【要約】【課題】天板上に載置された譜面台装置の譜面板の高さを十分に確保可能で、かつ、楽器の奥行きを短くし、楽器全体をコンパクトに設計することが可能な構造を有する鍵盤楽器を提供すること。【解決手段】鍵盤や制御スイッチ等を含む操作子と、前記操作子の近傍の空間を開閉する蓋体と、天板と、前記天板上に載置された譜面台装置とを備えた鍵盤楽器において、前記蓋体の開閉動作に連動して、前記天板に対して該天板の奥行き方向に移動するように前記譜面台装置を配設した。【選択図】    図１
2005017780.tif 000002
【特許請求の範囲】
【請求項１】
演奏時に操作される操作子と、前記操作子の非使用時に該操作子を覆う蓋体と、天板と、前記天板上に載置された譜面台装置とを備えた鍵盤楽器であって、
前記蓋体の開閉動作に連動して、前記譜面台装置を前記天板に対して該天板の奥行き方向に移動するように配設したことを特徴とする鍵盤楽器。
【請求項２】
前記蓋体と譜面板装置とを連結する連結手段をさらに備え、前記蓋体の開閉動作によって、該蓋体の少なくとも一部が前記天板の奥行き方向に移動する鍵盤楽器であって、前記連結手段が、前記蓋体の動く距離の一部のみを前記譜面台装置に伝える機能を有することを特徴とする請求項１に記載の鍵盤楽器。
【請求項３】
前記天板の奥行長が、譜面台装置の奥行き方向の実質的実効長よりも短く構成されたことを特徴とする請求項１または２に記載の鍵盤楽器。
【発明の詳細な説明】
【０００１】
本発明は、譜面台装置を備えた鍵盤楽器に関する。本発明を適用し得る鍵盤楽器としては、電子ピアノ、電子オルガン等の電子鍵盤楽器の他、アコースティックピアノ、パイプオルガン、チェンバロ、チェレスタ等、鍵盤や楽音制御用操作子を備えた楽器が含まれる。
【０００２】
【従来の技術】
従来の鍵盤楽器の譜面台として、例えば特開平９−１１４４４８号公報（特許文献１）に記載の譜面台装置が知られている。この装置もさることながら、この公報を参照するまでもなく、一般的に、鍵盤楽器本体の譜面台装置は、天板の上に設けられ、該本体は奥行方向に十分な幅があり、よって天板にも余裕があったので、譜面板高さＬＡよりその幅ＬＢが大の天板の上に設けられていた。譜面板を倒したとしても、ＬＡ＜ＬＢであるため、演奏者方向（前方）にもその反対方向（後方）にも譜面板および／または譜面受けが飛び出し配設されることがなかった。
【０００３】
【発明が解決しようとする課題】
ところが近年、電子処理技術が発達し、電子鍵盤楽器では、音源及びＣＰＵを含む回路技術の省スペース化が著しく、鍵盤以外に棚板上に配設するものが減少してきているとともに、一般住宅用における楽器の省スペース化も求められているところである。このような背景から、楽器の奥行長を小さくしようとした場合、鍵盤部は小さくできないので、鍵盤部の後方及びその上部にあたる天板を小さくする必要がある。しかしながら、天板の奥行長を短くすると、譜面板の高さを譜面板を倒した際に該譜面板が後方にはみ出さない程度の高さにしなければならず、譜面板の高さが標準的な譜面板の高さよりも低くなり、譜面を安定して載置することが困難となるという欠点があった。
【０００４】
【特許文献１】
特開平９−１１４４４８号公報
【０００５】
【課題を解決するための手段】
本発明は、前述のような問題点を解決するためになされたもので、本発明の鍵盤楽器は、演奏時に操作される操作子と、前記操作子の非使用時に該操作子を覆う蓋体と、天板と、前記天板上に載置された譜面台装置とを備えた鍵盤楽器であって、前記蓋体の開閉動作に連動して、前記譜面台装置を前記天板に対して該天板の奥行き方向に移動するように配設したことを特徴としている。本願発明に係る鍵盤楽器をこのように構成することで、譜面台を使用しない状態であっても、譜面台装置を鍵盤楽器の奥行長以内に収めることができる。なお、ここでいう操作子とは、鍵盤楽器の鍵盤や、楽器の作動や楽音の制御を行う制御装置の操作端子等の操作部分般を指す。
【０００６】
このような鍵盤楽器において、好適な具体的手段として、前記蓋体と譜面台装置とを連結する連結手段とをさらに備えるとより好ましく、前記譜面台装置が、前記連結手段を介して、前記蓋体を開く際に前記天板の奥方向にスライドし、閉じる際に前記天板の手前方向にスライドするように、蓋体の開閉に連動して移動することが望ましい。このような連結手段によって、前記蓋体の動きと前記譜面台装置の動きとが確実に連動する。
【０００７】
また、前記連結手段は、前記蓋体の開閉動作によって、該蓋体の少なくとも一部が前記天板の奥行き方向に移動する際に、前記蓋体の動く距離の全てを前記譜面台装置の動きとして伝えるのではなく、蓋体（または蓋体の一部分）の動く距離の一部のみを伝える機能を有していることが好ましい。これによって、譜面台装置の奥行き方向の長さや天板の奥行長に関する設計の自由度が大幅に増す。
【０００８】
また、本願発明に係るより好ましい実施例では、前記譜面台装置の奥行き方向の実質的実効長を、前記天板の奥行長よりも長く構成してもよい。すなわち、通常の天板の奥行長（２５０ｍｍ前後）に比して、譜面台装置の長さ、すなわち譜面板の高さを従来と同じか、それより大きくする。譜面板高さを天板の奥行長と同じにしたとしても、譜面板を倒した場合、譜面台装置しては譜面受けを含む実効長になるので、天板の奥行長よりも長くなる。これによって、譜面台装置に譜面等を立てた際の安定度が増す。具体的には、譜面台装置の奥行き方向の実質的実効長は、３００ｍｍ以上としてもよい。
【０００９】
別の視点から述べると、本願発明に係る鍵盤楽器においては、前記天板の奥行長が、譜面台装置の奥行き方向の実質的実効長よりも短く構成されていてもよい。すなわち、譜面台装置の長さ（譜面台としての高さ）を一般的なもの（１５０ｍｍ〜２００ｍｍ程度）とした場合でも、天板についてそれまでに必要であった奥行長よりも小さくすることもできる。これによって、鍵盤楽器の全体構成をコンパクトにすることが可能となる。
【００１０】
なお、本発明において、譜面台装置に関する「奥行き方向の実質的実効長」とは、譜面板の高さと譜面受けの短手方向の幅との合計の長さをいう。すなわち、譜面板を立てた場合の、譜面板として作用する高さと譜面受けの短手方向の幅の合計の長さ、もしくは、譜面板を倒した場合の、譜面板と譜面受けとの水平方向の合計の長さを意味している。
【００１１】
【発明の実施の形態】
以下、本発明の一実施形態について添付図面を参照しつつ説明する。図１は、本発明を適用した電子鍵盤楽器の縦断面図であり、図２は、図１に示す電子鍵盤楽器の蓋体が完全に閉じられた様子を示している。また図３は、図２において蓋体が閉じられた状態の鍵盤楽器を前方から見た正面図である。図４は、図２に示す電子鍵盤楽器が、蓋体を閉じた状態で譜面板を倒した時の様子を表している。なお図２および図４においては、蓋体および譜面台装置の動きと関連しない要素の一部については図示を省略している。
【００１２】
図１は、電子鍵盤楽器１を縦断側面図として示し、図３に示すＩ−Ｉ線に沿う断面矢視図であって、鍵盤等を覆う蓋体２が開かれた状態を示している。この電子鍵盤楽器１は、操作子としての白鍵３及び黒鍵４、楽音の発生及び制御のための電子回路（図示省略）等を備え、これらを楽器本体ケース１０に収容している。電子鍵盤楽器１は、該楽器本体ケース１０の底部を形成する棚板５、その演奏者側である前端面を覆う口棒６、背面部に立設した背板７、左右両側部の側板８、上面を覆う天板９、メインスピーカ１３を収容したスピーカボックス１４、棚板５から下方へ延びた脚１９等を備えている。楽器本体ケース１０には、図示を省略した楽音の制御装置、そのためのスイッチやコントローラ、電源装置、液晶ディスプレイ、接続端子等が内装される。
【００１３】
スピーカボックス１４は、鍵並び方向における中央部において、棚板５の下面に取り付けられ、脚１９は棚板５の前部の両端及び後部の中央部に結合されている。また、後部の脚の下端には、ペダル（図示省略）が取り付けられている。
鍵盤及びその後方部分は、蓋体２により覆われる。蓋体２は、前後に分割され折りたたみ自在に結合された前蓋２１及び後蓋２２を備え、前蓋２１及び後蓋２２を延ばした閉状態で口棒６上端から鍵盤上方を経て天板９の前端に亘る部分を覆い、折りたたんだ開状態で鍵盤の上方を開放する。
【００１４】
この蓋体２の取付け構造は、以下の通りである。蓋体２の一部を構成する前蓋２１は、左右両側の側板８に固定された回動支点１５に支持されている。前蓋２１は、回動支点１５を中心に回動するようにして開閉され、閉時に白鍵３および黒鍵４を覆う。前蓋２１の後端部と後蓋２２の前端部とはヒンジ部２３で回動可能に結合されている。ヒンジ部２３は、前蓋２１及び後蓋２２の左右両端部間に亘って連続して延びた蝶番の形態をとっている。また前蓋２１は、モニタスピーカ２４等の機能部材を内部に収容する厚さを有している。該スピーカ２４は、楽音発生手段によってメインスピーカと共に楽音を発音する。
【００１５】
天板９の上面には、譜面台装置３０が前後方向（図１の矢印Ａの方向）にスライド可能に載置されている。譜面台装置３０は譜面板３１と、ベース板３２とを備えており、譜面板３１は、背面の下部に取り付けられた回転軸３３によりベース板３２に対して回動可能に支持されている。譜面板３１は、その背面が支持具３４によって支えられており、支持具３４が係止部３５の適当な位置に係止されることによって、譜面板３１をやや斜め後方に起立した状態で保持することができる。ベース板３２には上面に開いた凹部が形成されており、該凹部において譜面受け３６が回転軸３３に平行な方向に連続して延びるように設けられている。譜面板３１を起立した状態で譜面３８を立てかけた際に、譜面受け３６において譜面の下端を支持する。図１における鍵盤楽器１は、蓋体２を開き、譜面板３１を起立させた状態を示している。
【００１６】
譜面台装置３０は、蓋体２の開閉動作にベース板３２を連動させることで、天板９上を前後方向にスライドさせる。以下、詳細に説明する。ベース板３２の左右方向中央下面（図３参照）には、ベース板３２に対してほぼ垂直に延びる前舌片４１および後舌片４２が相互に間隔をあけて前後に固定されており、天板９に前後に延設した溝状の開口４３を貫通している。前記前舌片４１および後舌片４２が開口４３に沿って移動することで、ベース板３２は、天板９上を前後方向にスライドする。
【００１７】
側板８には案内溝５０が前後方向に水平に設けられており、後蓋２２の後端部に固定された接続部２２ａに設けられた係合ピン２２ｂが、案内溝５０に沿って摺動することで、蓋体２を開ける際に後蓋２２を後方へとスライド可能とする。なお側板８には、係合ピン２２ｂを側板８の上端から案内溝５０に導くための導入溝５１も併せて設けられている。
【００１８】
接続部２２ａに設けられた当接片２２ｃは、後蓋２２が前方向にスライドする際には前舌片４１に当接して引き寄せ、後方向にスライドする際には後舌片４２を押す。この構造によって、蓋体２の開閉動作に連動して譜面台装置３０が天板９に対して前後方向にスライド可能となる。
【００１９】
本実施形態では、前述の当接片２２ｃ，前舌片４１及び後舌片４２が、蓋体２の動きを譜面台装置３０に伝える連結手段として作用する。この構成は、本願発明に係る鍵盤楽器を形成するための一例であって、これに限定されるものではない。前述の構成と異なる構成であっても、同様の作用をもたらすもの、例えば当接片に連動する単数または複数のリンク部材を設けて、譜面台装置３０に連動させる連結手段であれば、本願発明でいう連結手段の概念に含まれることになり、さらにその他の構成でもよい。
【００２０】
次に、このような鍵盤楽器１の蓋体２を開閉する動きに連動して、譜面台装置３０が前後に移動するための動作について図１および図２を用いて詳細に説明する。図１に示す鍵盤楽器１は、蓋体２が開いた状態を表しているが、この状態において、後蓋２２後端部は、ベース板３２に固定された後舌片４２と接している。蓋体２を閉じる動作と共に、後蓋２２の後端部が後舌片４２から離れ、後蓋２２が案内溝５０に沿って前方に移動する。後蓋２２の後端部は案内溝５０に沿って前方方向へ一定距離（＝Ｌ２）進んだ地点で前舌片４１に接触する。その後、蓋体２がさらに閉じられることにより、前記後端部に備えられた当接片２２ｃは前舌片４１を前方方向に引いて移動させる。これによって、譜面台装置３０は天板９の上面を前方（手前側）にスライドする。蓋体２が完全に閉じられた状態になったとき、後蓋２２の後端部は所定距離移動し、前舌片４１は開口４３の前端部近くに到達して停止する。この状態において、譜面台装置３０は天板９の上面よりやや前方方向に張り出した場所に位置している。図２は、このようにして蓋体２が完全に閉じられた鍵盤楽器１の様子を示している。
【００２１】
また、図３に示すように、前舌片４１（および後舌片４２）は鍵盤楽器１の幅方向における中央付近に位置している。また、ベース板３２は、その両側端の上面及び側面が、天板９に固着されたガイド部材３７に接しており、該ガイド部材３７に沿ってスライドする。なお、前舌片４１、後舌片４２、開口４３、当接片２２ｃは、複数設けられていてもよいし、前舌片４１、後舌片４２が複数設けられており、これらに当接して移動させる当接片２２ｃを１つだけ設けていてもよい。この場合、当接片２２ｃを適宜必要な長さに構成することになる。
【００２２】
次に、鍵盤楽器１の蓋体２が、図２に示す閉じられた状態から、開かれる際の動作について説明する。蓋体２を開く動作を行うと、後蓋２２の後端部は前舌片４１から離れ、案内溝５０に沿って移動し、当接片２２ｃはこれに伴って後方へスライドする。後蓋２２の後端部が案内溝５０に沿って一定距離（＝Ｌ２）だけ移動すると、後蓋２２の後端部は後舌片４２に接する。後舌片４２は、開口４３に沿って後方へ移動可能なため、後蓋２２の後端部に押される形で、係合ピン２２ｂが案内溝５０の終端部にたどり着くまで後方へ一定距離（＝Ｌ１）移動する。係合ピン３３ｃが案内溝５０の終端部で停止すると、後舌片４２は開口４３の後端部近くに達する。
【００２３】
以上の説明から明らかなように、蓋体２の開閉動作によって、後蓋２２は案内溝５０の奥行き方向の実質的長さ（Ｌ０＝Ｌ１＋Ｌ２）を摺動する。このとき、蓋体２の開閉動作に連動してスライドする譜面台装置３０は、前後方向にそれぞれＬ１の距離のみスライドする。言い換えると、前舌片４１および後舌片４２の間隔（＝Ｌ２）を後蓋２２の後端部が摺動する間は、譜面台装置３０の前後方向の動きに影響を及ぼさない。すなわち、前舌片４１および後舌片４２の間隔Ｌ２は、蓋体２を開閉するために後蓋２２が移動する距離の一部を吸収する役割を果たしている。
【００２４】
譜面台装置３０をスライドさせる距離（Ｌ２）は、ベース板３２上の前舌片４１および後舌片４２の位置を前後に変更することで、容易に調節可能であるため、前記吸収される距離を変更することができる。なお、後端部２２の摺動する距離（＝Ｌ０）についても、案内溝５０や開口４３の長さを必要に応じて選択することで、適宜設定可能である。このように、蓋体２の動く距離（すなわち後蓋２２の摺動する距離）の一部を譜面台装置３０のスライドする動作（距離）に伝達することで、譜面台装置の奥行き方向の長さや天板の奥行長、蓋体２の摺動構造等の設計に自由度をもたせることができる。
【００２５】
次に、蓋体２が閉じられた状態で、譜面板３１を倒した際の動作について図４を参照しつつ説明する。譜面板３１は、後方に倒された際に天板９の奥端（地点Ｐ）を越えずに収まるように構成されている。このような天板９の奥行長や、譜面板３１の高さ等の設定は、前舌片４１と後舌片４２の前後方向の間隔（＝Ｌ１）とともに調整することが好ましい。このように調整することによって、譜面板３１について、譜面を安定して支持することができる高さを確保できるとともに、鍵盤楽器１の奥行きをコンパクトに設計することができる。
【００２６】
また、譜面台装置３０は、蓋体２を閉じた状態で、天板９の前端より手前（前方）に位置する。したがって、楽譜等に書き込みを行う場合に、譜面台装置３０の譜面板１２またはベース板３２を筆記台として利用し易くなるという利点を得ることもできる。
【００２７】
さらに、蓋体２を開いた状態において、前蓋２１の前端又は先端とベース板３２前端との間にある程度の隙間ができるように構成されることが好ましい。このようにすることで、蓋体２を開けた際に、前蓋２１と譜面台装置３０との間で手挟みが生じることを防ぐことができる。
【００２８】
なお、図１〜４に示した構造は、譜面台装置３０および蓋体２の連結手段の一例を示しているが、本発明に係る鍵盤楽器における連結手段は、このような構造に限定されるものではない。例えば、ギヤやベルト等、またはそれらの組み合わせによって蓋体２の動く距離の一部を譜面台装置３０のスライドする距離に伝達するようにしてもよい。また、本実施形態では蓋体２の前蓋２１は、ヒンジ２３を中心に回動し、後蓋２２が前後に移動しているが、本発明はこのような形態に限られるものではなく、蓋体２の他の部分や蓋体２全体が前後に移動するような構造であってもよい。また、上記の蓋体２は、単数または多数の蓋構成部材からなる一枚蓋や、スライド蓋構成であってよく、このような蓋に連動する譜面台装置であってもよい。
【００２９】
【発明の効果】
以上の説明で明らかなように、本発明によると、譜面台装置の譜面板の高さを十分に確保しつつ、天板の奥行長を短くすることで鍵盤楽器の大きさをコンパクト化することが可能になる。
【図面の簡単な説明】
【図１】本発明に係る鍵盤楽器の一実施形態に関する内部構造を示す縦断面図である。
【図２】前記実施形態において、蓋体２が閉じられた様子を示す縦断面図である。
【図３】図２に示す蓋体２が閉じられた鍵盤楽器を示す正面図である。
【図４】図２に示す鍵盤楽器において、蓋体２が閉じられた状態で、譜面板３１が倒された様子を示す縦断面図である。
【符号の説明】
１……鍵盤楽器、  ２……蓋体、  ３……黒鍵（操作子）、  ４……白鍵（操作子）、  ９……天板、  ２１……前蓋（蓋体）、  ２２……後蓋（蓋体）、
２２ａ……接続部（連結手段）、  ２２ｂ……係合ピン（連結手段）、  ２２ｃ……当接片（連結手段）、  ３０……譜面台装置、  ３１……譜面板、  ３２……ベース板、  ４１……前舌片（連結手段）、  ４２……後舌片（連結手段）、
４３……開口（連結手段）
【図１】
2005017780.tif 000003
【図２】
2005017780.tif 000004
【図３】
2005017780.tif 000005
【図４】
2005017780.tif 000006